(57)【要約】装置は、ハウジングと、加えられた接触力に基づいてハウジングに対して動くチップと、チップに加えられた力を検出する圧力センサとを含む。圧力センサは、チップに一体化されるか又は固定される第１要素と、ハウジングに対して固定され、第１要素に対向するように配置される第２要素とを含む。第１要素は、導電性の剛性材料から形成される。第２要素は、導電性であり、弾性特性を有する。加えて、第１要素又は第２要素の一方が、非導電層でコーティングされる。第１要素は、チップに加えられた力に基づいて第２要素の方へ動き、力に基づいて第２要素を変形する。センサは、第１要素と第２要素との間のキャパシタンスを検出する回路を更に含む。
2020505706.tif 000002
【特許請求の範囲】
【請求項１】
ハウジングと；
チップであって、該チップに加えられる接触力に基づいて前記ハウジングに対して動くように構成されるチップと；
前記チップの動きに基づいて前記チップに加えられる力を検出するように構成される圧力センサであって、該センサは、
前記チップに一体化されるか固定される第１要素であって、導電性の剛性材料から形成される第１要素と、
前記ハウジングに対して静止し、前記第１要素に対向するように配置される第２要素であって、導電性であり、かつ弾性特性を有する第２要素と、
を含み、前記第１要素又は前記第２要素の一方が、非導電層でコーティングされ、前記第１要素が、前記チップに加えられた力に基づいて前記第２要素の方へ動き、前記力に基づいて前記第２要素を変形するように構成される、前記圧力センサと；
前記第１要素と前記第２要素との間のキャパシタンスを検出するように構成された回路と；
を含む、装置。
【請求項２】
前記第１要素はドーム形状又は円錐形である、
請求項１に記載の装置。
【請求項３】
前記第２要素はエラストマである、
請求項１又は２に記載の装置。
【請求項４】
前記第２要素は平坦な形状を有する、
請求項１乃至３のいずれか一項に記載の装置。
【請求項５】
前記非導電層は、１０ｎｍ〜２０μｍの間の厚さである、
請求項１乃至４のいずれか一項に記載の装置。
【請求項６】
前記非導電層は、前記第１要素と前記第２要素との間の接着を低減するよう構成されるテクスチャを含む、
請求項１乃至５のいずれか一項に記載の装置。
【請求項７】
前記第１要素は、金属から形成され、前記非導電層は、前記金属上に形成される陽極酸化層である、
請求項１乃至６のいずれか一項に記載の装置。
【請求項８】
前記非導電層は、前記第２要素上に塗布されたシリコン層である、
請求項１乃至６のいずれか一項に記載の装置。
【請求項９】
前記ハウジング及び前記チップに機械的に結合される弾性要素を備え、該弾性要素は、前記チップに予荷重を与えるように構成される、
請求項１乃至８のいずれか一項に記載の装置。
【請求項１０】
当該装置はスタイラスであり、前記チップは前記スタイラスの書込みチップである、
請求項１乃至９のいずれか一項に記載の装置。
【請求項１１】
前記書込みチップは、前記ハウジングの外に延びるよう構成される第１端部と、前記ハウジング内に維持される第２端部とを含む細長い要素であり、前記第２端部は前記第１要素を含む、
請求項１０に記載の装置。
【請求項１２】
前記書込みチップは、金属から機械加工される、
請求項１１に記載の装置。
【請求項１３】
前記書込みチップは、導電性プラスチックで成形される、
請求項１１に記載の装置。
【請求項１４】
チップホルダを備え、前記書込みチップは、前記ハウジングの外に延びるよう構成される第１端部と、前記ハウジング内に維持される第２端部とを含む細長い要素であり、前記チップホルダは、前記書込みチップの前記第２端部に接続され、前記第１要素を含む、
請求項１０に記載の装置。
【請求項１５】
前記第１要素は、金属から形成され、前記非導電層は、前記金属上にコーティングされた着色層である、
請求項１０乃至１４のいずれか一項に記載の装置。
【発明の詳細な説明】
【背景技術】
【０００１】
スタイラスは、コンピューティングデバイスとともに使用するために当技術分野で公知である。スタイラスの位置検出は、コンピューティングデバイスに関連付けられるデジタイザセンサに入力を提供し、ユーザコマンドとして解釈され得る。位置検出は、スタイラスのチップがデジタイザセンサの検出面上に接触しているか、かつ／又はホバリングしている間に行われ得る。デジタイザセンサは、電子ディスプレイ画面内に一体化されることが多く、コンピューティングデバイスは、スタイラスの位置を画面上に描かれる情報と相関させる。
【０００２】
一部のスタイラスは、ユーザがスタイラスを使用している間にスタイラスのチップに加えられる圧力のレベルを感知し、任意に報告するという点で、感圧性である。コンピューティングデバイス上で実行されるアプリケーションは、その後、この情報を使用することができる。例えばグラフィックアプリケーションは、検出された圧力レベルに基づいて、引く線の線太さ又は影を調整することができる。
【発明の概要】
【０００３】
本開示は、デバイスの相互作用チップ（interacting  tip）に加えられる圧力を感知するセンサを含むハンドヘルドデバイスに関する。ハンドヘルドデバイスは、例えばスタイラスであってよい。本開示の実施形態によれば、センサは、低コストで実装されることができ、比較的単純な構造を有し、そして改善された感度及び精度を提供することができる、改善された容量ベースの圧力センサである。
【０００４】
別段の定めがない限り、本明細書で使用されるすべての技術的及び／又は科学的用語は、当業者によって一般的に理解されるものと同じ意味を有する。本明細書で説明されるものと同様又は等価な方法及び材料を、本開示の実施形態の実施又は試験において使用することができるが、例示的な方法及び／又は材料は、以下で説明される。矛盾がある場合は、定義を含む本特許明細書が支配することになる。加えて、材料、方法、及び実施例は、例示にすぎず、必ずしも限定するように意図されていない。
【図面の簡単な説明】
【０００５】
本開示のいくつかの実装は、添付の図面に関連して、単なる例示として本明細書で説明される。次に図面を詳細に参照するが、図示される詳細は、例示として、本開示の実施の例示的な議論のためのものであることが強調される。この点に関し、図面を伴う本説明は、本開示の実施がどのように実施され得るかを当業者に明らかにする。
【０００６】
図面は次のとおりである。
【０００７】
【図１】例示の感圧スタイラスの簡略化されたブロック図である。
【０００８】
【図２Ａ】スタイラスに一体化され得る例示の圧力センサの要素の簡略化された概略図であり、センサはニュートラルの状態で示されている。
【図２Ｂ】スタイラスに一体化され得る例示の圧力センサの要素の簡略化された概略図であり、センサは押圧状態で示されている。
【０００９】
【図３】スタイラスに一体化された例示の圧力センサを用いて検出され得るキャパシタンスの簡略化されたグラフを示す図である。
【００１０】
【図４】スタイラスと一体化された例示の圧力センサの代替構成を示す簡略化された概略図である。
【００１１】
【図５】スタイラスと一体化された例示の圧力センサの更に別の構成を示す簡略化された概略図である。
【００１２】
【図６】スタイラスと一体化された例示の圧力センサの代替の誘電体層を示す簡略化された概略図である。
【００１３】
【図７】感圧スタイラスを用いて操作される例示のコンピューティングデバイスの簡略化されたブロック図である。
【発明を実施するための形態】
【００１４】
デバイスのハウジングに対して移動可能な相互作用チップを有するハンドヘルドデバイスは、ユーザがデバイスを操作している間にチップに加えられる圧力を感知するための容量ベースの圧力センサを含む。いくつかの例示の実装によると、センサは、相互作用チップに固定される剛性要素と、ハウジングに固定されるエラストマと、それらの間の容量結合を検出するための回路とを含む。剛性要素及びエラストマは、相互作用チップに圧力が加えられると、剛性要素がエラストマの方へ動いてエラストマを押しつけるように、ハウジング内に配置される。剛性要素及びエラストマの双方が導電性である。いくつかの例示の実装では、剛性要素は、該剛性要素とエラストマとの間に誘電体分離を提供する電気的絶縁材料でコーティングされる。あるいはまた、エラストマは、誘電体分離を提供する電気的絶縁材料でコーティングされてもよい。チップに加えられる圧力は、検出される容量結合のレベルに基づいて感知され得る。
【００１５】
任意で、剛性要素は、チップ又はチップホルダの一端に形成され、相互作用チップ又はチップを保持するチップホルダ、例えば単一部品として形成されるチップホルダと一体である。剛性要素をデバイス内の既存の部品と一体化することにより、材料表（bill  of  material）を低減することができ、接続部品に関連する公差をなくすことができ、そして部品間の解放に起因するいかなる誤作動も回避することができる。剛性要素を既存の部品と一体化する際の別の利点は、圧力センサを組み込むのに必要なスペースを減らすことができることである。
【００１６】
典型的には、剛性要素及びエラストマのうちの一方は、要素の間の有効接触面積が圧力に応じて変化し得るように、ドーム形状、円錐形、あるいは他の平らではない形状である。これは、剛性要素とエラストマとの間の近接性及び接触面積の双方が、検出される容量結合に影響を及ぼす可能性があるので、圧力が検出され得る分解能を改善することができる。
【００１７】
いくつかの実装では、剛性要素の形状は、所望の力曲線、例えば検出された容量結合とチップに加えられた圧力との間の所望の関係を提供する。剛性要素を用いて所望の形状を形成し、平らなエラストマを使用する利点は、剛性要素の材料、例えば金属又は導電性プラスチックの材料が、エラストマよりも低い公差で成形され得ることである。設計の単純さ及び部品の低い公差により、所望の力曲線は、経時的にかつ温度範囲にわたって一貫性があり得る。剛性要素がチップ又はチップホルダに一体化される実装では、剛性要素を規定された形状へ成形することは、コストを増加させず、必要な形状でエラストマを製造する必要性を排除する可能性が高い。剛性要素によって所望の形状が提供されると、市販の製品から平らなエラストマを選択することができる。
【００１８】
いくつかの実装では、センサの感度は、剛性要素上の１０ｎｍ規模（order  of  magnitude）〜１０μｍ規模、例えば２０μｍ未満の範囲の薄い非導電性コーティング層でセンサを動作させることによって改善される。非導電性コーティングの誘電率定数は、所望の特性を有する誘電体又は非導電層を提供するように選択され得る。
【００１９】
誘電体層が剛性要素に塗布されるコーティングである実装においては、厚さは、標準的な製造方法を使用して、例えば陽極酸化製造プロセスを使用して、低い公差を有する所望の厚さに、制御可能に制限することができる。層の厚さを制御することによって、センサの精度を改善することができ、センサ間の製造性のばらつきを低減することができる。これは、各センサを較正する必要性をなくすことができる。この実装は、より厚く、かつ、その厚さ並びにより高いコストに関してより高い公差に関連付けられるプリント回路基板の層を誘電体層として使用する既知の方法よりも有利である。いくつかの例では、規定されたテクスチャをコーティング又はコーティングの一部に適用して、接触中のコーティングとエラストマとの間の接着を減少させる。また、テクスチャは、標準的な製造方法によるコーティングの間に比較的低コストで適用され得る。テクスチャを加えるための任意の製造方法は、例えば吹付け加工（abrasive  blasting）又は腐食（erosion）を含んでもよい。
【００２０】
次に、図１を参照すると、例示の感圧スタイラスの簡略化されたブロック図が図示されている。いくつかの実装では、スタイラス１００は、電源１０５、１つ以上のプリント回路基板（ＰＣＢ）アセンブリ１２０及び１２５、１つ以上のユーザ制御ボタン１３０、書込みチップ１５０、書込みチップ１５０に関連する圧力センサ２００及び任意のコンポーネント１１５、例えば追加のセンサを収容する、ハウジング１１０を含む。電源１０５は、１つ以上の再充電可能バッテリ及び／又はスーパーキャパシタを含んでもよい。ＰＣＢアセンブリ１２０は、スタイラス１００の動作を制御するＡＳＩＣ１２１を含んでもよい。スタイラス１００の動作中、ＡＳＩＣ１２１は信号を生成することができ、この信号は、書込みチップ１５０を介して、あるいは書込みチップ１５０に関連付けられるチップホルダ１５５を介して送信されてよい。
【００２１】
書込みチップ１５０は、典型的に、端部１５１に加えられる接触圧力に応答して、ハウジング１１０内へ及びハウジング１１０の外へスライドするように構成される。コイルバネのような弾性要素１６０が、ハウジング１１０及び書込みチップ１５０に結合されて、書込みチップ１５０の動きに対して弾性力を提供することができる。いくつかの実装では、書込みチップ１５０はチップホルダ１５５に固定、例えば圧入され、チップホルダ１５５は、弾性要素１６０に機械的に結合される。書込みチップ１５０の移動範囲は、１０μｍ規模、例えば０〜８０μｍであってよい。
【００２２】
圧力センサ２００は、キャパシタの第１電極として剛性要素２２０を含み、キャパシタの第２電極としてエラストマ２１０を含む容量ベースのセンサであってよい。圧力センサ２００によって検出される圧力は、剛性要素２２０とエラストマ２１０との間の容量結合に関連する。剛性要素２２０は、書込みチップ１５０に固定されてよく、書込みチップ１５０の端部１５１に接触圧力が加えられると、エラストマ２１０を押しつけることができる。剛性要素２２０及びエラストマ２１０の双方が導電性材料から形成されてよい。いくつかの例示的な実装では、剛性要素２２０は、物理的接触の間に電気的絶縁を提供する絶縁材料の層２２５、例えば剛性要素２２０とエラストマ２１０との間の誘電体層でコーティングされる。
【００２３】
いくつかの例示の実装では、エラストマ２１０は、ＰＣＢ１２５に取り付けられる平らな要素である。エラストマ２１０を有するＰＣＢ１２５は、エラストマ２１０が、例えばスタイラス１００の長手軸１０１に略垂直な角度で剛性要素２２０に対向するように、ハウジング１１０に固定されてよい。いくつかの実装では、剛性要素２２０が、増大した圧力でエラストマ２１０と係合するにつれて、剛性要素２２０とエラストマ２１０との間の表面接触が変化し得るように、剛性要素２２０は、ドーム形状、円錐形、あるいは他の平らでない形状とすることができる。剛性要素２２０は、チップホルダ１５５の延長部であってもよく、同じ材料、例えば金属又は導電性プラスチックから形成されてよい。
【００２４】
エラストマ２１０は、ＰＣＢ１２０及び電源１０５に電気的に接続される。いくつかの実装では、ＡＳＩＣ１２１は、圧力センサ２００の動作のために、剛性要素２２０及びエラストマ２１０の少なくとも一方を充電するように制御する。圧力センサ２００は、剛性要素２２０とエラストマ２１０との間の容量結合を検出する容量測定ユニットを更に含む。容量測定ユニットは、ＡＳＩＣ１２１に埋め込まれてもよい。任意で、容量測定ユニットは、市販のユニット、例えば電荷増幅器である。
【００２５】
圧力センサ２００からの出力は、例えばＡＳＩＣ１２１によってデジタル的に符号化され、スタイラス１００によって送信される信号を変調するために使用される。信号は、圧力センサ２００から取得された情報、並びにボタン１３０の状態、スタイラスＩＤ、バッテリの健全性状態、スタイラス内に埋め込まれるかスタイラスと通信する他のセンサからの情報及び／又は他の情報を含むように変調され得る。いくつかの例示的な実装では、送信される情報は圧力レベルである。任意で、送信される情報は、圧力センサ２００によって検出されるホバリング又はタッチ状態の一方である。
【００２６】
ここで、図２Ａ及び図２Ｂを参照すると、図２Ａ及び図２Ｂは、スタイラスに一体化され得る例示の圧力センサの要素の簡略化された概略図を示しており、センサは、それぞれ、ニュートラルの状態及び押圧状態で示されている。圧力センサ２００は、剛性要素２２０とエラストマ２１０との間の容量結合のレベルをモニタする。いくつかの実装では、ホバリング中、例えば接触力が書込みチップ１５０の端部１５１に加えられていない間は、規定されたエアギャップ１５７が、剛性要素２２０をエラストマ２１０から分離する（図２Ａ）。エアギャップ１５７は、弾性要素１６０によって加えられる予荷重（preloading  force）によって維持され得る。
【００２７】
端部１５１に加えられた接触力２５０が弾性要素１６０の予荷重に打ち勝つと、書込みチップ１５０はチップホルダ１５５及び剛性要素２２０とともにエラストマ２１０の方へ動く。剛性要素２２０がエラストマ２１０に近づくにつれて、エアギャップ１５７は減少し、容量結合が増加する。力２５０が除去されると、弾性要素１６０によって加えられる弾性力がエアギャップ１５７を回復し得る。
【００２８】
力２５０が増加するにつれて、剛性要素２２０はエラストマ２１０に押しつけられてエラストマ２１０を変形する（図２Ｂ）。層２２５は、接触中に剛性要素２２０とエラストマ２１０との間の電気的絶縁を維持する。剛性要素２２０のドーム形状により、剛性要素がエラストマ２１０へ押し込まれてエラストマ２１０を変形するにつれて、剛性要素２２０とエラストマ２１０との間の表面接触面積は増加する。接触面積の増加は、容量結合を増加させる。力２５０が解放され、剛性要素２２０がエラストマ２１０から移動されると、エラストマ２１０は、典型的に、そのニュートラルな形状を回復することができる。
【００２９】
いくつかの例示の実装では、剛性要素２２０とエラストマ２１０との間の誘電体層は層２２５である。いくつかの例示的な実装において、層２２５は、陽極酸化プロセスを使用することによって剛性要素２２０上に適用される薄い酸化層である。コーティングのための陽極酸化プロセスは、低コストであり、数ナノメートルから数ミクロン、例えば１０ｎｍ〜１０μｍの範囲の薄層を比較的低い公差で提供するために適用することができるので、有利であり得る。いくつかの実装では、層２２５は、接触中のエラストマ２１０との接着を低減するために適用され得る、規定のテクスチャ又は粗さ（roughness）を有する。任意で、層２２５は、その厚さが色に基づいて容易に検出され得るように、色コード化されてもよい。
【００３０】
次に、図３を参照すると、図３は、スタイラスに一体化された例示的な圧力センサで検出され得るキャパシタンスの簡略化されたグラフを示している。いくつかの実装では、圧力センサ２００からの出力は、スタイラス１００のホバリング状態とインク状態とを区別するために印加される。任意で、ホバリングとインクとの間のカットオフは、剛性要素２２０とエラストマ２１０との間の所定のレベルのキャパシタンスＣＨ２Ｔで生じる。１つの例示の実装では、ＣＨ２Ｔは、わずかな力で又は力を伴わずに剛性要素がエラストマ２１０と係合するときに検出されるキャパシタンスに対応する。
【００３１】
スタイラス１００のインク状態（又はタッチ状態）の間、剛性要素２２０は、エラストマ２１０と係合することができ、容量結合は、力の増加に伴うエラストマ２１０の漸進的変形による、剛性要素２２０とエラストマ２１０との間の表面接触面積の変化によって支配され得る。この曲線の勾配は、典型的に、エラストマ２１０の硬さと剛性要素２２０の形状によって支配され得る。
【００３２】
次に、図４を参照すると、図４は、スタイラスと一体化された例示的な圧力センサの代替構成を示す簡略化された概略図を示している。いくつかの実装では、剛性要素２２０は、書込みチップ１５３の一部として一体化される。剛性要素２２０は、端部１５１に対して遠位の書込みチップ１５３の端部で形成される。書込みチップ１５３（剛性要素２２０を含む）は、金属から機械加工されてもよく、あるいは導電性プラスチックで成形されてもよい。書込みチップ１５３は、弾性要素１６０を支持するためのフランジ１５６を更に含んでもよい。
【００３３】
次に、図５を参照すると、図５は、スタイラスと一体化された例示的な圧力センサのための更に別の構成を示す簡略化された概略図を示している。圧力センサ２００は、書込みチップ１５０がニュートラルな状態の間、例えば書込みチップ１５０の端部１５１に力が加えられていないとき、剛性要素２２０がエラストマ２１０と係合するように組み立てられる。この例示の構成では、（図２Ｂに示されるような）エアギャップ１５７は除去される。任意で、エアギャップ１５７がない構成では、弾性要素１６０の代わりに（例えば弾性要素１６０を除去することによって）、弾性要素２１０の弾性特性を使用することができる。
【００３４】
次に、図６を参照すると、図６は、スタイラスと一体化された例示的な圧力センサのための代替の誘電体層の簡略化された概略図を示している。剛性要素２２０とエラストマ２１０との間の誘電体層２１５が、剛性要素２２０の代わりにエラストマ２１０上に一体化される。例えばエラストマ２１０は、シリコン又はプラズマのような他の非導電性材料の層でコーティングされてよい。層２１５は、１０ｎｍ規模〜１０μｍ規模の間、例えば２０μｍ未満の間の範囲の厚さの薄い層であってよい。任意で、層２１５は、異なる厚さを区別するために色コード化されてもよい。任意で、接触中の剛性要素２２０との接着を低減するために、層２１５にテクスチャを加えてもよい。
【００３５】
次に、図７を参照すると、図７は、感圧スタイラスを用いて操作される例示のコンピューティングデバイスの簡略化されたブロック図を示している。いくつかの実装によれば、コンピューティングデバイス１０は、デジタイザセンサ５０に一体化されるディスプレイ画面４５を含む。デジタイザセンサ５０は、信号を送信する感圧スタイラス１００による入力と、１つ以上の指先４６又は他の導電性物体による入力との双方を検出するように動作する導電性ストリップ５１から形成される、グリッドベースの容量センサとすることができる。デジタイザセンサ５０は、デジタイザ回路２５によって動作され、ホスト２２と通信することができる。
【００３６】
スタイラス１００のチップに加えられる圧力を、スタイラス１００に含まれる圧力センサ２００によって感知することができる。いくつかの実施例では、センサ２００の出力は、スタイラス１００によって送信され、１つ以上の導電線５１によってピックアップされる。任意で、センサ２００からの出力は、スタイラス１００によって送信される位置信号に符号化される。任意で、センサ２００によって検出されるインク又はホバリング動作状態を示す情報は、スタイラス１００によって送信される位置信号に符号化される。任意で、センサ２００からの出力は、デジタイザ回路２５によって送信されるクエリ信号に応答して送信される。
【００３７】
デジタイザ回路２５からの出力はホスト２２に報告される。デジタイザ回路２５によって提供される出力は、スタイラス１００の座標、スタイラス１００のチップの圧力状態やレベル及び／又はデジタイザセンサ５０と相互作用する１つ以上の指先４６の座標を含む。任意で、デジタイザ回路２５はスタイラス１００のホバリング又はインク状態を報告する。任意で、デジタイザ回路２５は、スタイラスチップに加えられる圧力を報告する。任意で、デジタイザ回路２５の機能の一部及び／又は全部が、ホスト２２と一体化されるか、かつ／又はホスト２２に含まれる。
【００３８】
いくつかの実装によれば、装置は、ハウジングと；チップであって、該チップに加えられる接触力に基づいてハウジングに対して動くように構成されるチップと；チップの動きに基づいて、チップに加えられる力を検出するように構成される圧力センサであって、該センサは、チップに一体化されるか固定される第１要素であって、導電性の剛性材料から形成される第１要素と、ハウジングに対して静止し、第１要素に対向するように配置される第２要素であって、導電性であり、かつ弾性特性を有する第２要素とを含み、第１要素又は第２要素の一方が、非導電層でコーティングされ、第１要素が、チップに加えられた力に基づいて第２要素の方へ動き、力に基づいて第２要素を変形するように構成される、圧力センサと；第１要素と第２要素との間のキャパシタンスを検出するように構成された回路と；を含む。
【００３９】
任意で、第１要素はドーム形状又は円錐形である。
【００４０】
任意で、第２要素はエラストマである。
【００４１】
任意で、第２要素は平坦な形状を有する。
【００４２】
任意で、非導電層は、１０ｎｍ〜２０μｍの間の厚さである。
【００４３】
任意で、非導電層は、第１要素と第２要素との間の接着を低減するよう構成されるテクスチャを含む。
【００４４】
任意で、第１要素は、金属から形成され、非導電層は、金属上に形成される陽極酸化層である。
【００４５】
任意で、非導電層は、第２要素上に塗布されたシリコン層である。
【００４６】
任意で、装置は、ハウジング及びチップに機械的に結合される弾性要素を備え、該弾性要素は、チップに予荷重を与えるように構成される。
【００４７】
いくつかの実装によれば、スタイラスは、ハウジングと；書込みチップであって、該書込みチップに加えられる接触力に基づいてハウジングに対して動くように構成される書込みチップと；書込みチップの動きに基づいて、書込みチップに加えられる力を検出するように構成される圧力センサであって、該センサは、書込みチップと一緒に動くように構成される第１要素であって、導電性の剛性材料から形成される第１要素と、ハウジングに対して静止し、第１要素に対向するように配置される第２要素であって、導電性エラストマである第２要素とを含み、第１要素の１つが、非導電層でコーティングされ、第１要素が、チップに加えられた力に基づいて第２要素の方へ動き、力に基づいて第２要素を変形するように構成される、圧力センサと；第１要素と第２要素との間のキャパシタンスを検出するように構成された回路と；を含む。
【００４８】
任意で、第１要素はドーム形状又は円錐形である。
【００４９】
任意で、書込みチップは、ハウジングの外に延びるよう構成される第１端部と、ハウジング内に維持される第２端部とを含む細長い要素であり、第２端部は第１要素を含む。
【００５０】
任意で、書込みチップは、金属から機械加工される。
【００５１】
任意で、書込みチップは、導電性プラスチックで成形される。
【００５２】
任意で、スタイラスは、チップホルダを備え、書込みチップは、ハウジングの外に延びるよう構成される第１端部と、ハウジング内に維持される第２端部とを含む細長い要素であり、チップホルダは、書込みチップの第２端部に接続され、第１要素を含む。
【００５３】
任意で、第２要素は平坦な形状を有する。
【００５４】
任意で、非導電層は、１０ｎｍ〜２０μｍの間の厚さである。
【００５５】
任意で、非導電層は、規定されたテクスチャでパターニングされる。
【００５６】
任意で、第１要素は、金属から形成され、非導電層は、金属上にコーティングされた着色層（colored  layer）ある。
【００５７】
任意で、スタイラスは、ハウジング及び書込みチップに機械的に結合されるバネを含み、該バネは、書込みチップに予荷重を与えるように構成される。
【００５８】
明確性のために別個の実施形態の文脈で説明される、本明細書に記載した実施例の特定の特徴は、単一の実施形態において組み合わせて提供されてもよい。反対に、簡潔性のために単一の実施形態の文脈で説明される、本明細書に記載した実施例の様々な特徴は、別個に又は任意の適切な副次的組合せで、あるいは本開示の説明された任意の他の実施形態において適切であるように提供されてもよい。様々な実施形態の文脈で説明される特定の特徴は、実施形態がそれらの要素なしで動作不能でない限り、それらの実施形態の本質的な特徴とはみなされない。
【図１】
2020505706.tif 000003
【図２Ａ】
2020505706.tif 000004
【図２Ｂ】
2020505706.tif 000005
【図３】
2020505706.tif 000006
【図４】
2020505706.tif 000007
【図５】
2020505706.tif 000008
【図６】
2020505706.tif 000009
【図７】
2020505706.tif 000010
【国際調査報告】
2020505706.tif 000011
2020505706.tif 000012